(57)【要約】【課題】  臨場感に優れた音響信号を出力することができる音響出力装置を提供する。【解決手段】  複数種類の楽器音信号が含まれる音響信号から各楽器音信号を分離する楽器音信号分離手段１１と、複数のスピーカ２０ＦＲ，２０ＦＬ，２０ＲＲ，２０ＲＬと、分離された楽器音信号を複数の前記スピーカに振り分けて同時に出力するように制御する出力制御手段１２とを備える音響出力装置１である。この音響出力装置１は、複数の前記スピーカに対する楽器音信号の振り分けを変更するための入力手段１４を更に備えることが好ましい。【選択図】  図１
2020136746.tif 000002
【特許請求の範囲】
【請求項１】
複数種類の楽器音信号が含まれる音響信号から各楽器音信号を分離する楽器音信号分離手段と、
複数のスピーカと、
分離された楽器音信号を複数の前記スピーカに振り分けて同時に出力するように制御する出力制御手段とを備える音響出力装置。
【請求項２】
前記出力制御手段は、前記楽器音信号分離手段による楽器音信号の分離に基づき、各スピーカから出力する音量の配分割合を調整する請求項１に記載の音響出力装置。
【請求項３】
複数の前記スピーカに対する楽器音信号の振り分けを変更するための入力手段を更に備える請求項１または２に記載の音響出力装置。
【請求項４】
請求項１から３のいずれかに記載の音響出力装置を用いた音響出力方法であって、
複数の前記スピーカを、受聴者に対して個別に予め設定された方向および距離に設置して、音響信号を出力する音響出力方法。
【発明の詳細な説明】
【技術分野】
【０００１】
本発明は、音響出力装置および方法に関し、より詳しくは、複数種類の楽器音信号が含まれる音響信号を出力するのに好適な音響出力装置および方法に関する。
【背景技術】
【０００２】
音響信号を複数のスピーカから出力する装置として、例えば、特許文献１に開示されたオーディオ再生装置が知られている。この装置は、音響信号を２つの周波数帯域に分割し、それぞれを異なるスピーカで再生するように構成されている。
【先行技術文献】
【特許文献】
【０００３】
【特許文献１】特開２００３−６１１９８号公報
【発明の概要】
【発明が解決しようとする課題】
【０００４】
ところで、実際のオーケストラ等のコンサート会場においては、種々の楽器の配置が予め定められており、それぞれの位置から楽器音が発せられることによって、楽器音全体の空間的な広がりを得ることができる。ところが、従来においては、音響信号を周波数帯域に応じて複数のスピーカに振り分けることは行われるものの、楽器ごとの振り分けを行うものではないため、臨場感を得にくいという問題があった。
【０００５】
そこで、本発明は、臨場感に優れた音響信号を出力することができる音響出力装置および方法の提供を目的とする。
【課題を解決するための手段】
【０００６】
本発明の前記目的は、複数種類の楽器音信号が含まれる音響信号から各楽器音信号を分離する楽器音分離手段と、複数のスピーカと、分離された楽器音信号を複数の前記スピーカに振り分けて同時に出力するように制御する出力制御手段とを備える音響出力装置により達成される。前記出力制御手段は、前記楽器音信号分離手段による楽器音信号の分離に基づき、各スピーカから出力する音量の配分割合を調整することが好ましい。
【０００７】
この音響出力装置は、複数の前記スピーカに対する楽器音信号の振り分けを変更するための入力手段を更に備えることが好ましい。
【０００８】
また、本発明の前記目的は、上記の音響出力装置を使用し、複数の前記スピーカを、受聴者に対して個別に予め設定された方向および距離に設置して、音響信号を出力する音響出力方法により達成される。
【発明の効果】
【０００９】
本発明によれば、臨場感に優れた音響信号を出力することができる音響出力装置および方法を提供することができる。
【図面の簡単な説明】
【００１０】
【図１】本発明の一実施形態に係る音響出力装置の概略構成を示すブロック図である。
【図２】図１に示す音響出力装置の配置の一例を示す概略平面図である。
【図３】図１に示す音響出力装置が備える入力部の正面図である。
【図４】本発明の他の実施形態に係る音響出力装置が備える入力部の要部正面図である。
【図５】本発明の更に他の実施形態に係る音響出力装置が備える入力部の要部正面図である。
【図６】本発明の更に他の実施形態に係る音響出力装置が備える入力部の要部正面図である。
【発明を実施するための形態】
【００１１】
以下、本発明の実施の形態について、添付図面を参照して説明する。図１は、本発明の一実施形態に係る音響出力装置の概略構成を示すブロック図である。図１に示すように、音響出力装置１は、装置本体１０と、複数のスピーカ２０ＬＦ，２０ＬＲ，２０ＲＦ，２０ＲＲとを備えて構成されている。
【００１２】
装置本体１０は、楽器音分離部１１、出力制御部１２、スピーカ駆動部１３および入力部１４を備えている。楽器音分離部１１は、通信ネットワークや記録媒体等から入力された、複数種類の楽器音信号が含まれる音響信号から、各楽器音信号を分離する。楽器音信号の分離は、公知の多重音解析により行うことができる。例えば、楽器音の周波数特性の学習データを利用する方法、楽器音の基本周波数を推定する方法、非負値行列因子分解（NMF）を用いる方法等を挙げることができる。
【００１３】
出力制御部１２は、分離された楽器音信号を、複数のスピーカ２０ＬＦ，２０ＬＲ，２０ＲＦ，２０ＲＲに振り分けて、同時に出力するようにスピーカ駆動部１３を制御する。スピーカ駆動部１３は、アンプを有しており、出力制御部１２から入力された楽器音信号を増幅し、増幅した信号を各スピーカ２０ＬＦ，２０ＬＲ，２０ＲＦ，２０ＲＲに出力する。楽器音信号の振り分け先は、楽器音毎に個別に対応する単一のスピーカであってもよく、あるいは、２以上のスピーカであってもよい。
【００１４】
図２は、図１に示す音響出力装置の配置の一例を示す概略平面図である。図２に示すように、各スピーカ２０ＬＦ，２０ＬＲ，２０ＲＦ，２０ＲＲは、受聴者３０に対してそれぞれ予め設定された方向および距離に配置され、実際に演奏する際の楽器の配置に基づいて振り分けられた楽器音を出力する。例えば、オーケストラの音響信号を出力する場合には、受聴者３０に対して左前側および右前側に位置するスピーカ２０ＬＦ，２０ＲＦから弦楽器の楽器音を出力し、受聴者３０に対して左後側および右後側に位置するスピーカ２０ＬＲ，２０ＲＲから木管楽器、金管楽器および打楽器の楽器音を出力することができる。
【００１５】
このように、本実施形態の音響出力装置１は、音響信号から分離された楽器音信号を、複数のスピーカ２０ＬＦ，２０ＬＲ，２０ＲＦ，２０ＲＲに振り分けて同時に出力することにより、受聴者３０に対して、実際にコンサート会場にいるかのような臨場感を与えることができる。
【００１６】
各スピーカ２０ＬＦ，２０ＬＲ，２０ＲＦ，２０ＲＲの数や、受聴者３０に対する配置（方向および距離）は、本実施形態のものに限定されず、分離する楽器音や、演奏時の楽器の配置等に合わせて設定することができる。また、楽器音信号を複数のスピーカに振り分ける場合には、各スピーカから出力する音量の配分割合を予め適宜設定することで、各スピーカ間における所望の位置に音像定位を行うことができるため、実際の楽器の配置により近い音響を再現することができる。
【００１７】
複数のスピーカ２０ＬＦ，２０ＬＲ，２０ＲＦ，２０ＲＲに対する楽器音信号の振り分けは、入力部１４の操作により変更することができる。図３は、装置本体１０が備える入力部１４の正面図である。入力部１４は、装置本体１０を構成するケーシングの側面に設けられており、「とりあえずモード」のボタンを操作した場合には、音響信号から分離された各楽器音信号が、楽器音毎に予め設定された１または複数の振り分け先となる各スピーカ２０ＬＦ，２０ＬＲ，２０ＲＦ，２０ＲＲから、それぞれ出力される。
【００１８】
各スピーカ２０ＬＦ，２０ＬＲ，２０ＲＦ，２０ＲＲからの音響信号の出力中に、「お気に入りモード」のボタンを長押し操作した場合には、その後、楽器の種類（楽器Ａ〜Ｄ）毎に設定された「楽器」ボタンを操作することにより、各スピーカ２０ＬＦ，２０ＬＲ，２０ＲＦ，２０ＲＲから出力される楽器音の音量配分を楽器音毎に調整し、振り分け先を変更することができる。音量配分の調整は、各スピーカ２０ＬＦ，２０ＬＲ，２０ＲＦ，２０ＲＲの前後左右の配置に応じて、「前後のバランス」のスライダー操作と「後側左右バランス」および「前側左右バランス」のダイヤル操作とを併用して行うことができ、これによって楽器音の振り分け先が決定される。こうして変更された楽器音毎の振り分け先は、「お気に入りモード」のボタンを再び長押しする等して、装置本体１０が備えるメモリに記憶され、次回の音響出力時には、「お気に入りモード」のボタン操作により、受聴者３０の好みに応じて各楽器音信号を各スピーカ２０ＬＦ，２０ＬＲ，２０ＲＦ，２０ＲＲに振り分けて、出力することができる。
【００１９】
このように、初心者や不慣れな受聴者３０に対しては、「とりあえずモード」ボタンの操作によって、予め製作者が用意した音響出力を手軽に提供することができる一方、「お気に入りモード」を操作した場合には、受聴者３０が最適と感じる音響バランスで出力することができるので、受聴者３０の満足度を高めることができる。
【００２０】
以上、本発明の一実施形態について詳述したが、本発明の具体的な態様は上記実施形態に限定されるものではない。例えば、「とりあえずモード」ボタンの操作によって、楽器音分離部１１による楽器音信号の分離に基づき、各スピーカから出力する音量の配分割合を調整することができる。例えば、楽器音分離部１１が分離した楽器音が、ピアノ（１台）音、あるいは、ピアノ（１台）音とソロの楽器音の場合、出力制御部１２の制御により、図４に示すように、入力部１４の「前後のバランス」のスライダーＳが最下部の「リサイタルモード」に自動シフトすると共に、前側に位置するスピーカ２０ＬＦ，２０ＲＦのみから楽器音信号が出力される。
【００２１】
また、上記のリサイタルモードにおいて、音源が実際のホール等の演奏であるために残響音や反射音が含まれている場合には、出力制御部１２の制御により、スライダーＳは「リサイタルモード」よりも一段上方の「残響付きリサイタルモード」に自動シフトすると共に、後側に位置するスピーカ２０ＬＲ，２０ＲＲからも、小さい音量で楽器音信号が出力される。
【００２２】
ジャズや室内楽のように前側の楽器が強い一方で、後側の楽器の下支えが侮れない場合には、出力制御部１２の制御により、スライダーＳは「残響付きリサイタルモード」よりも一段上方の「セッション・室内楽モード」に自動シフトすると共に、後側に位置するスピーカ２０ＬＲ，２０ＲＲからの音量が更に大きくなる。
【００２３】
オーケストラのように全体に拡がる音を検知した場合には、出力制御部１２の制御により、スライダーＳは「セッション・室内楽モード」よりも一段上方の中央位置である「オーケストラモード」に自動シフトすると共に、前側に位置するスピーカ２０ＬＦ，２０ＲＦと、後側に位置するスピーカ２０ＬＲ，２０ＲＲとから、等量の音量で出力される。
【００２４】
上記の各種モード（「リサイタルモード」、「残響付きリサイタルモード」、「セッション・室内楽モード」、「オーケストラモード」等）は、製品出荷時等に予め記憶しておき、受聴者が「とりあえずモード」のボタンを操作することで、それぞれのモードで試し聴きができるように構成してもよい。
【００２５】
スライダーＳは、上記のように自動操作する代わりに、受聴者が手動で操作可能に構成してもよい。例えば、「オーケストラモード」において、前後のスピーカの音声信号電力を同等に設定しても、後側のスピーカの能力が前側のスピーカの能力よりも劣る場合には、受聴者が手動でスライダーＳを上方にシフトさせる「後方優先モード」とすることで、所望の前後音量バランスにすることができる。スライダーＳを最上部にシフトさせると、後側に位置するスピーカ２０ＬＲ，２０ＲＲのみから楽器音信号が出力される。
【００２６】
スライダーＳがいずれのモードに設定されているかを、受聴者が容易に把握できるように、「リサイタルモード」、「残響付きリサイタルモード」、「セッション・室内楽モード」、「オーケストラモード」および「後方優先モード」を表示する表示部Ｄを、スライダーＳに隣接して設けることが好ましい。こうして、受聴者は現在のモードを視覚的に認識することができ、気に入った音場になれば「お気に入り」ボタンを押すことで、好みのモードを装置本体１０に記憶させることができる。
【００２７】
表示部Ｄは、装置本体から剥離可能なシール材とすることが好ましく、受聴者の好みの変化に応じてシール材を取り替えることにより、スライダーＳの位置に対応するモードを適宜変更することができる。スライダーＳは、装置本体１０に設ける代わりに、装置本体１０から分離されたリモコン等に設けて、受聴者がリモコン操作できるように構成してもよい。
【００２８】
受聴者がスライダーＳを操作することにより設定したモードは、図５に示すように入力部１４に「モードメモリ」ボタンを設けることで、「モードメモリ」ボタンの押圧により、装置本体１０が備えるメモリに記憶させることができる。「モードメモリ」ボタンの近傍には、設定したモードのメモリ番号および名称を表示する表示部が設けられ、受聴者による入力キーやタッチパネル等の操作により、記憶させたモードに対応する名称（例えば、「ベートーベン第９用モード」等）を入力することができる。記憶されたモードは、「お気に入りモード」ボタンの押圧毎に、表示されるモードの番号および名称を順次切り替えることで、受聴者が所望のモードを選択することができる。記憶されたモードのうち不要なものは、「メモリ消去」ボタンの押圧により削除することができる。
【００２９】
図５に示す入力部１４は、図３に示す楽器の種類（楽器Ａ〜Ｄ）毎に設定された「楽器」ボタンを追加して、図６に示す構成にしてもよい。この構成によれば、受聴者がスライダーＳの操作により設定したモードだけでなく、受聴者が「楽器」ボタンを操作して決定した楽器音の振り分け先も、「モードメモリ」のボタン操作により記憶させることができる。
【符号の説明】
【００３０】
１  音響出力装置
１０  装置本体
１１  楽器音信号分離部
１２  出力制御部
１３  スピーカ駆動部
１４  入力部
２０ＬＦ，２０ＬＲ，２０ＲＦ，２０ＲＲ  スピーカ
【図１】
2020136746.tif 000003
【図２】
2020136746.tif 000004
【図３】
2020136746.tif 000005
【図４】
2020136746.tif 000006
【図５】
2020136746.tif 000007
【図６】
2020136746.tif 000008